(57)【要約】【課題】処理効率の低下を抑制することができる紙幣処理機の提供。【解決手段】入金部２１から紙幣を繰り出し入金搬送する入金搬送手段は、識別部２８を通る一部が、紙幣を入金搬送方向に対して逆方向へ搬送することで、収納部３５〜３７に収納された紙幣を繰り出し出金搬送する出金搬送手段５３の一部を構成し、出金搬送手段５３は、整列部３０への分岐点よりも上流側、且つ識別部２８よりも下流側に、紙幣の向きを反転可能な表裏反転部４３を有し、収納部３５〜３７から出金搬送される紙幣は、識別部２８によって識別され紙幣の向きを反転させる必要があるときに表裏反転部４３を経由する。【選択図】図６
2013250919.tif 000002
【特許請求の範囲】
【請求項１】
機外から紙幣が投入される入金部と、
該入金部から紙幣を繰り出し入金搬送する入金搬送手段と、
該入金搬送手段によって入金搬送される紙幣を識別する識別部と、
該識別部によって識別された紙幣を一時貯留する一時貯留部と、
該一時貯留部によって一時貯留された紙幣を収納する収納部と、
該収納部に収納された紙幣を繰り出し出金搬送する出金搬送手段と、
該出金搬送手段によって出金搬送される紙幣を機外へ出金可能に集積させる出金部と、
前記出金搬送手段から分岐した位置にあって紙幣を整列させて所定の結束枚数集積させる整列部と、
該整列部で所定の結束枚数集積させた紙幣を結束させる結束部と、を備えた紙幣処理機であって、
前記入金搬送手段は、前記識別部を通る一部が、紙幣を入金搬送方向に対して逆方向へ搬送することで前記出金搬送手段の一部を構成し、
前記出金搬送手段は、前記整列部への分岐点よりも上流側、且つ前記識別部よりも下流側に、紙幣の向きを反転可能な表裏反転部を有し、
前記収納部から出金搬送される紙幣は、前記識別部によって識別され紙幣の向きを反転させる必要があるときに前記表裏反転部を経由することを特徴とする紙幣処理機。
【請求項２】
さらに、
前記入金搬送手段の前記識別部より下流側から分岐した位置にあって、前記識別部で識別された結果、受け付け不可とされた投入紙幣を集積させる入金リジェクト部と、
前記出金搬送手段の前記識別部より下流側から分岐した位置にあって、前記識別部で識別された結果、出金不可とされた出金紙幣を集積させる出金リジェクト部とを有し、
前記一時貯留部は、金種混合一時貯留部であり、
前記収納部は、複数の金種別収納部および金種混合収納部から構成されるとともに、前記一時貯留部と並列状態に配置されることを特徴とする請求項１に記載の紙幣処理機。
【請求項３】
前記金種混合一時貯留部から、前記複数の金種別収納部および前記金種混合収納部の少なくとも一つへ、入金確定紙幣を前記識別部で識別された結果に応じ振分搬送するとともに、前記識別部で識別された結果、異常紙幣とされた入金確定紙幣を前記出金リジェクト部へ搬送することを特徴とする請求項２に記載の紙幣処理機。
【請求項４】
前記整列部へ、前記一時貯留部および前記収納部から選択的に紙幣が搬送されることを特徴とする請求項１ないし３のいずれか一項に記載の紙幣処理機。
【請求項５】
さらに、
前記結束部で結束した小束紙幣を集積して機外へ出金可能な束出金部を備えたことを特徴とする請求項１ないし４のいずれか一項に記載の紙幣処理機。
【発明の詳細な説明】
【技術分野】
【０００１】
本発明は、紙幣を取り扱う紙幣処理機に関する。
【背景技術】
【０００２】
従来、入金する紙幣を入金搬送手段で一枚ずつ機内に取り込んで搬送するとともに、搬送中の紙幣の金種等を鑑別し、紙幣の表裏の向きを取り揃えたうえで一時貯留部に一時貯留し、その入金が確定すると、一時貯留部の紙幣を金種に応じて設けられる金種別収納部に収納する紙幣処理機がある。そして、このような紙幣処理機において、金種別収納部に収納した紙幣を、出金処理において出金用の紙幣として出金させたり、所定枚数を一束として結束し出金させる還流式の紙幣処理機がある（例えば特許文献１参照）。
【先行技術文献】
【特許文献】
【０００３】
【特許文献１】特開２００２−３７３３５８号公報（段落００３１、図３）
【発明の概要】
【発明が解決しようとする課題】
【０００４】
上述した紙幣処理機では、入金搬送手段に紙幣の表裏の向きを取り揃える表裏反転部を有していることから、入金処理時に紙幣の表裏を取り揃えることになる。しかしながら、このように入金搬送手段に表裏反転部を有していると、入金処理速度の低下を招いて入金処理の処理効率が低下してしまう。操作者は、入金処理においては終了時に意識的に確定・キャンセルの判断および操作を行う必要があり、無意識に紙幣を取り出せば良い出金処理と比べて、待たされている感覚が強くなってしまう。また、例えば、金種別収納部の入出口でのジャム等の異常発生時の紙幣につき、紙幣の向きを間違えて金種別収納部に装填し直した場合等には、この紙幣が金種別収納部から繰り出されると、これを異常紙幣として処理せざるを得ず、この点でも処理効率の低下を招いていた。
【０００５】
本発明は、上記の点に鑑みなされたもので、処理効率の低下を抑制することができる紙幣処理機の提供を目的とする。
【課題を解決するための手段】
【０００６】
上記目的を達成するために、請求項１に係る発明は、機外から紙幣が投入される入金部と、該入金部から紙幣を繰り出し入金搬送する入金搬送手段と、該入金搬送手段によって入金搬送される紙幣を識別する識別部と、該識別部によって識別された紙幣を一時貯留する一時貯留部と、該一時貯留部によって一時貯留された紙幣を収納する収納部と、該収納部に収納された紙幣を繰り出し出金搬送する出金搬送手段と、該出金搬送手段によって出金搬送される紙幣を機外へ出金可能に集積させる出金部と、前記出金搬送手段から分岐した位置にあって紙幣を整列させて所定の結束枚数集積させる整列部と、該整列部で所定の結束枚数集積させた紙幣を結束させる結束部と、を備えた紙幣処理機であって、前記入金搬送手段は、前記識別部を通る一部が、紙幣を入金搬送方向に対して逆方向へ搬送することで前記出金搬送手段の一部を構成し、前記出金搬送手段は、前記整列部への分岐点よりも上流側、且つ前記識別部よりも下流側に、紙幣の向きを反転可能な表裏反転部を有し、前記収納部から出金搬送される紙幣は、前記識別部によって識別され紙幣の向きを反転させる必要があるときに前記表裏反転部を経由することを特徴とする。
【０００７】
請求項２に係る発明は、請求項１に係る発明において、さらに、前記入金搬送手段の前記識別部より下流側から分岐した位置にあって、前記識別部で識別された結果、受け付け不可とされた投入紙幣を集積させる入金リジェクト部と、前記出金搬送手段の前記識別部より下流側から分岐した位置にあって、前記識別部で識別された結果、出金不可とされた出金紙幣を集積させる出金リジェクト部とを有し、前記一時貯留部は、金種混合一時貯留部であり、前記収納部は、複数の金種別収納部および金種混合収納部から構成されるとともに、前記一時貯留部と並列状態に配置されることを特徴とする。
【０００８】
請求項３に係る発明は、請求項２に係る発明において、前記金種混合一時貯留部から、前記複数の金種別収納部および前記金種混合収納部の少なくとも一つへ、入金確定紙幣を前記識別部で識別された結果に応じ振分搬送するとともに、前記識別部で識別された結果、異常紙幣とされた入金確定紙幣を前記出金リジェクト部へ搬送することを特徴とする。
【０００９】
請求項４に係る発明は、請求項１ないし３のいずれか一項に係る発明において、前記整列部へ、前記一時貯留部および前記収納部から選択的に紙幣が搬送されることを特徴とする。
【００１０】
請求項５に係る発明は、請求項１ないし４のいずれか一項に係る発明において、さらに、前記結束部で結束した小束紙幣を集積して機外へ出金可能な束出金部を備えたことを特徴とする。
【発明の効果】
【００１１】
請求項１に係る発明によれば、紙幣の向きを反転可能な表裏反転部を出金搬送手段が有しているため、入金処理において表裏反転部を通ることによる入金処理速度の低下がなくなり、出金処理に比べて待たされている感覚が強くなる入金処理の時間を短縮できて、入金処理の処理効率の低下を抑制することができる。また、出金搬送手段が、整列部への分岐点よりも上流側且つ識別部よりも下流側に表裏反転部を有しているため、上流端の収納部に表裏が適正でない紙幣があったとしても、これを識別部で識別し表裏反転部で表裏反転して、下流端の出金部に搬送したり、分岐した位置にある整列部に搬送したりできる。よって、収納部に表裏が適正でない紙幣があったとしても、この紙幣を含んで、出金部に集積された紙幣は表裏が取り揃えられた状態となり、整列部に集積された紙幣も表裏が取り揃えられた状態となる。したがって、表裏が適正でない紙幣を排除する必要がないため、出金処理の処理効率の低下を抑制することができる。加えて、簡易な構成で、出金部への出金用および整列部への結束用のバラ紙幣の集積の表裏の向きを、各々選択設定することが可能となる。さらに、入金搬送手段は、識別部を通る一部が、紙幣を入金搬送方向に対して逆方向へ搬送することで出金搬送手段の一部を構成するため、入金搬送時の識別部を出金搬送時および結束搬送時の識別部として使用できる。
【００１２】
請求項２に係る発明によれば、入金搬送手段で搬送中、識別部で識別された結果、受け付け不可とされた投入紙幣を、入金搬送手段から分岐した位置にある入金リジェクト部に集積させることになり、出金搬送手段で搬送中、識別部で識別された結果、出金不可とされた出金紙幣を、出金搬送手段から分岐した位置にある出金リジェクト部に集積させることになるため、入金搬送手段と出金搬送手段とが共通の識別部を使用しても、処理を停止させることなく適正に、入金処理、出金処理および結束処理を行うことができる。また、金種混合一時貯留部、複数の金種別収納部および金種混合収納部が並列状態に配置されるため、機体の大型化を抑制できる。
【００１３】
請求項３に係る発明によれば、入金処理で紙幣を一時貯留する金種混合一時貯留部から、入金確定後に、複数の金種別収納部および金種混合収納部の少なくとも一つへ、紙幣を識別部で識別された結果に応じ振分搬送することになるが、その際に、識別部で異常紙幣とされた入金確定紙幣については、これを出金リジェクト部へ搬送することができる。よって、処理を停止させることなく適正に、収納処理を行うことができる。
【００１４】
請求項４に係る発明によれば、整列部へは、一時貯留部および収納部から選択的に紙幣が搬送されるため、収納部に収納されている紙幣を結束することができることは勿論のこと、一時貯留部に収納されている紙幣をも結束することができる。よって、予め準備された紙幣を結束するローカル整理処理を行う場合に、一時貯留部から整列部に紙幣を直接搬送して結束部で結束させることができ、処理効率を向上できる。
【００１５】
請求項５に係る発明によれば、結束部で結束した小束紙幣を束出金部で集積して機外へ出金することができるため、小束紙幣の効率的な取り出しが可能となる。
【図面の簡単な説明】
【００１６】
【図１】本発明の一実施形態に係る紙幣処理機を含む出納機を示す斜視図である。
【図２】本発明の一実施形態に係る紙幣処理機を概略的に示す側断面図である。
【図３】同紙幣処理機の側断面図であって、入金処理ルートを太線で示すものである。
【図４】同紙幣処理機の側断面図であって、収納処理ルートを太線で示すものである。
【図５】同紙幣処理機の側断面図であって、返却処理ルートを太線で示すものである。
【図６】同紙幣処理機の側断面図であって、バラ出金処理ルートを太線で示すものである。
【図７】同紙幣処理機の側断面図であって、束出金処理ルートを太線で示すものである。
【図８】同紙幣処理機の側断面図であって、自己精査処理の往路ルートを太線で示すものである。
【図９】同紙幣処理機の側断面図であって、自己精査処理の復路ルートを太線で示すものである。
【図１０】同紙幣処理機の側断面図であって、ローカル整理処理の往路ルートを太線で示すものである。
【図１１】同紙幣処理機の側断面図であって、ローカル整理処理の復路ルートを太線で示すものである。
【発明を実施するための形態】
【００１７】
本発明の一実施形態に係る紙幣処理機を図面を参照して以下に説明する。図１は、紙幣および硬貨等を取り扱う出納機を示している。この出納機は、銀行等の金融機関の店舗に設置されて店舗全体の貨幣処理を管理するものである。出納機は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行うものである。
【００１８】
出納機は、紙幣についての入出金処理等を行う本実施形態に係る紙幣処理機１１と、紙幣の特に新券についての出金処理等を行う新券処理機１２と、硬貨についての入出金処理等を行う硬貨処理機１３とが左右に並設されて構成されており、硬貨処理機１３の上部に、操作者によって操作入力がなされる操作部１４と、操作者に対して表示を行う表示部１５とが設けられている。
【００１９】
次に、本実施形態に係る紙幣処理機１１の全体構成を図２を参照して説明する。紙幣処理機１１は、その前面側の上部に、機外からバラ紙幣が投入されるとともに機内から出金用のバラ紙幣が繰り出される入出金部（入金部，出金部）２１が設けられている。入出金部２１は、その底部を構成する載置板２２が後下がりに傾斜した姿勢で昇降可能に設けられており、その奥側の支承面２３が載置板２２と直交するように後上がりに傾斜して設けられている。入出金部２１には、紙幣が長さ方向を左右方向に沿わせた姿勢で載置板２２上に集積されることになり、紙幣は載置板２２の傾斜により後端縁が支承面２３に当接する。入出金部２１の上部の後側には、載置板２２上に集積されたバラ紙幣を上端のものから一枚ずつ分離して所定の間隔をあけて機内へ繰り出すとともに機内からの紙幣を入出金部２１に繰り出す繰出部２１ａが設けられている。
【００２０】
入出金部２１の下側には、紙幣処理機１１の前面位置に、受け付け不可と識別された入金リジェクト紙幣が機内から繰り出される入金リジェクト部２６が設けられている。入金リジェクト部２６は、繰り出された紙幣を下から上に順次集積させて機外に取り出し可能となるように保持する。入出金部２１および入金リジェクト部２６の後側には、出金不可と識別された出金リジェクト紙幣を収納する出金リジェクト部２７が設けられており、出金リジェクト部２７の後方の下部には紙幣を識別する識別部２８が設けられている。出金リジェクト部２７も、繰り出された紙幣を下から上に順次集積させて収納する。
【００２１】
また、出金リジェクト部２７の後方の上部には紙幣を整列させて所定の結束枚数下から上に順次集積させる整列部３０が設けられており、この整列部３０の上部には、整列部３０で集積された所定の結束枚数の紙幣に結束テープを巻き回し結束して小束紙幣とする結束部３１が設けられている。この結束部３１の前側には結束部３１で作成された小束紙幣を機外に出金可能に繰り出す束出金部３２が設けられている。束出金部３２は、結束部３１で結束した小束紙幣を複数束、機体前後方向に集積可能であり、複数の小束紙幣を一度に機外に取り出し可能となるように出金させるようになっている。
【００２２】
また、紙幣処理機１１の下部には、奥側から順に、入金確定後の所定の単一金種のバラ紙幣を上下に集積させた状態で収納する金種カセット（収納部，金種別収納部）３５、同様の金種カセット（収納部，金種別収納部）３６、同様の金種カセット（収納部，金種別収納部）３７、入金確定後のバラ紙幣を上下に集積させた状態で収納する混合カセット（収納部，金種混合収納部）３８、および入金された入金確定前の金種混合のバラ紙幣を上下に集積させた状態で一時貯留するプールカセット（一時貯留部，金種混合一時貯留部）３９が上下左右の位置を合わせて一列状の並列状態に配置されている。
【００２３】
混合カセット３８は、複数の金種カセット３５〜３７に収納しない他金種のバラ紙幣と金種カセット３５〜３７に収納しきれないオーバーフロー紙幣とを収納する。例えば、金種カセット３５が千円券、金種カセット３６が万円券、金種カセット３７が五千円券を収納し、混合カセット３８は、これら金種のオーバーフロー紙幣と二千円券とを収納する。あるいは、金種カセット３５が千円券、金種カセット３６が千円券、金種カセット３７が万円券を収納し、混合カセット３８は、これら金種のオーバーフロー紙幣と二千円券と五千円券とを収納する。
【００２４】
金種カセット３５の上部には、その内部に紙幣を繰り出すとともに内部の紙幣を上端のものから一枚ずつ分離して繰り出す繰出部３５ａが設けられており、金種カセット３６の上部にも同様の繰出部３６ａが、金種カセット３７の上部にも同様の繰出部３７ａが、混合カセット３８の上部にも同様の繰出部３８ａが、プールカセット３９の上部にも同様の繰出部３９ａが、それぞれ設けられている。
【００２５】
紙幣処理機１１の内部には、紙幣を搬送する紙幣搬送路４１が各部を適宜繋ぐように設けられている。紙幣搬送路４１は、繰出部２１ａから後上がりに延出した後、後下がりに延出し、さらに鉛直下方に延出し、その後、前側に一端延出した後、下側にて後側に折り返し、後方に延出し、途中上側に凸状に屈曲して識別部２８を通って下方に若干延出する搬送路４１Ａと、搬送路４１Ａに連続して下側に若干延出した後に前方に延出し前端から下方に若干延出する搬送路４１Ｂと、搬送路４１Ｂに連続するようにプールカセット３９に設けられた搬送路４１Ｃとを有している。
【００２６】
また、紙幣搬送路４１は、搬送路４１Ｂの途中から分岐する搬送路４１Ｄと、搬送路４１Ｄに連続するように金種カセット３５に設けられた搬送路４１Ｅと、搬送路４１Ｂの搬送路４１Ｄよりもプールカセット３９側から分岐する搬送路４１Ｆと、搬送路４１Ｆに連続するように金種カセット３６に設けられた搬送路４１Ｇと、搬送路４１Ｂの搬送路４１Ｆよりもプールカセット３９側から分岐する搬送路４１Ｈと、搬送路４１Ｈに連続するように金種カセット３７に設けられた搬送路４１Ｉと、搬送路４１Ｂの搬送路４１Ｈよりもプールカセット３９側から分岐する搬送路４１Ｊと、搬送路４１Ｊに連続するように混合カセット３８に設けられた搬送路４１Ｋと、搬送路４１Ｂの搬送路４１Ｊよりもプールカセット３９側から分岐して上方に延出する搬送路４１Ｌと、搬送路４１Ｌに繋がって屈曲し後方に延出して搬送路４１Ａの入出金部２１と識別部２８との間に繋がる搬送路４１Ｍとを有している。
【００２７】
また、紙幣搬送路４１は、搬送路４１Ｂの搬送路４１Ｊの分岐位置と搬送路４１Ｌの分岐位置との間位置から分岐して上方に延出する搬送路４１Ｎと、搬送路４１Ｎに繋がって上方に延出し搬送路４１Ｍの途中位置に繋がる搬送路４１Ｏと、搬送路４１Ｍにおける搬送路４１Ｏの接続位置と搬送路４１Ａへの接続位置との間位置から分岐して入金リジェクト部２６に繋がる搬送路４１Ｐと、搬送路４１Ａにおける搬送路４１Ｍの接続位置と入出金部２１との間位置から分岐し前方に延出して搬送路４１Ｐの途中位置に繋がる搬送路４１Ｑと、搬送路４１Ｐにおける搬送路４１Ｑの接続位置と入金リジェクト部２６との間位置から上方に分岐し後上がりに延出して出金リジェクト部２７に繋がる搬送路４１Ｒとを有している。
【００２８】
また、紙幣搬送路４１は、搬送路４１Ａにおける入出金部２１と搬送路４１Ｑの分岐位置との間位置と、搬送路４１Ｍの接続位置と識別部２８との間位置とを繋ぐ搬送路４１Ｓと、搬送路４１Ａにおける搬送路４１Ｓの接続位置と入出金部２１との間位置から後方に分岐して整列部３０に繋がる搬送路４１Ｔとを有している。搬送路４１Ｓには、紙幣の表裏を反転させる表裏反転部４３が設けられている。
【００２９】
ここで、上記した搬送路４１Ａ〜４１Ｍは正逆両方向に紙幣を搬送可能となっており、搬送路４１Ｎ〜４１Ｔは一方向にのみ紙幣を搬送可能となっている。
【００３０】
「入金処理」
図３の太線は、機外から入出金部２１に投入されたバラ紙幣を搬送しつつ識別計数する入金処理のルートを示している。つまり、入出金部２１の載置板２２上にバラ紙幣が集積状態で載置されて、操作部１４に入金処理を行う旨の入力操作がなされると、繰出部２１ａが入出金部２１の載置板２２上の紙幣を上端のものから順に一枚ずつ分離して所定の間隔をあけて繰り出すことになり、繰り出した紙幣を、搬送路４１Ａで搬送することになる。搬送路４１Ａでの搬送中に識別部２８が紙幣を識別計数することになり、識別部２８で受け入れ可能と識別した紙幣（取り扱い可能な金種の紙幣）を、図３に太実線で示すように、搬送路４１Ｂ，４１Ｃでプールカセット３９に搬送する。プールカセット３９は、搬送されてきた紙幣を下から上に順次集積させて一時貯留する。
【００３１】
このとき、図３に太実線で示すルートを構成する繰出部２１ａおよび搬送路４１Ａ，４１Ｂ，４１Ｃが、入出金部２１から紙幣を繰り出しプールカセット３９に入金搬送する入金搬送手段５０となっており、識別部２８は、この入金搬送手段５０によって入金搬送される紙幣を識別する。入金搬送手段５０には、紙幣の表裏を反転させる表裏反転部は設けられていない。
【００３２】
一方、入金処理にて識別部２８で受け入れ不可と識別した紙幣を、図３に太破線で示すように、搬送路４１Ｂから分岐した搬送路４１Ｎ，４１Ｏ，４１Ｍ，４１Ｐで入金リジェクト部２６に搬送する。
【００３３】
よって、入金処理では、識別部２８で識別した結果、受け入れ可能な投入紙幣を、入金搬送手段５０でプールカセット３９に一時貯留させ、識別部２８で識別した結果、受け入れ不可な投入紙幣を、入金搬送手段５０の識別部２８より下流側から分岐した位置にある入金リジェクト部２６に集積させることになる。
【００３４】
「収納処理」
図４の太線は、入金処理にてプールカセット３９に一時貯留された紙幣を、操作部１４への承認操作が入力されたことを条件に、確定して、金種カセット３５〜３７および混合カセット３８の対応するものに収納する収納処理のルートを示している。つまり、プールカセット３９の紙幣を上端のものから繰出部３９ａが繰り出すことになり、繰り出した紙幣を、図４に太実線で示すように、搬送路４１Ｃ，４１Ｂ，４１Ｌ，４１Ｍ，４１Ａで識別部２８に搬送し、識別部２８の識別結果に基づいて、収納可能と識別した紙幣を、搬送路４１Ｂ，４１Ｄ〜４１Ｋの対応するものによって金種カセット３５〜３７および混合カセット３８の対応するものに搬送する。これにより、金種カセット３５〜３７および混合カセット３８の対応するものに紙幣を収納する。金種カセット３５〜３７および混合カセット３８も、それぞれ、搬送されてきた紙幣を下から上に順次集積させて収納する。
【００３５】
このとき、図４に太実線で示すルートを構成する繰出部３９ａおよび搬送路４１Ｃ，４１Ｂ，４１Ｌ，４１Ｍ，４１Ａ，４１Ｄ〜４１Ｋが、プールカセット３９から紙幣を繰り出し金種カセット３５〜３７および混合カセット３８に収納搬送する収納搬送手段５１となっており、識別部２８は、この収納搬送手段５１によって収納搬送される紙幣を識別する。
【００３６】
一方、収納処理にて識別部２８で重送等と識別した紙幣については、図４に太破線で示すように、搬送路４１Ｂ，４１Ｎ，４１Ｏ，４１Ｍ，４１Ｐ，４１Ｒによって出金リジェクト部２７に搬送し、出金リジェクト部２７にて下から上に順次集積させて収納する。
【００３７】
よって、収納処理では、プールカセット３９から、複数の金種カセット３５〜３７および混合カセット３８の少なくとも一つへ、入金確定紙幣を識別部２８で識別された結果に応じ振分搬送するとともに、識別部２８で識別された結果、異常紙幣とされた入金確定紙幣を出金リジェクト部２７へ搬送することになる。
【００３８】
「返却処理」
図５の太線は、入金処理にてプールカセット３９に一時貯留した紙幣を、操作部１４へのキャンセル操作が入力されたことを条件に、入出金部２１に繰り出す返却処理のルートを示している。つまり、プールカセット３９の紙幣を上端のものから繰出部３９ａが繰り出すことになり、繰り出した紙幣を、搬送路４１Ｃ，４１Ｂ，４１Ａによって入出金部２１に搬送する。これにより、入出金部２１にて紙幣を載置板２２上に下から上に順次集積させることになり、機外へ返却可能に集積させる。このとき、図５に太実線で示すルートを構成する繰出部３９ａおよび搬送路４１Ｃ，４１Ｂ，４１Ａが、プールカセット３９から紙幣を繰り出し入出金部２１に返却搬送する返却搬送手段５２となっている。
【００３９】
「バラ出金処理」
図６の太線は、操作部１４へ入力されたバラ出金操作に基づいて、金種カセット３５、金種カセット３６および金種カセット３７の指定された金種のものから紙幣を出金するバラ出金処理のルートを示している。つまり、バラ出金処理では、図６に太実線で示すように、金種カセット３５〜３７の指定された金種のものに収納されている紙幣を上端のものから繰出部３５ａ〜３７ａの対応するものが繰り出すことになり、繰り出した紙幣を、搬送路４１Ｄ〜４１Ｉの対応するものと、搬送路４１Ｂ，４１Ａとで識別部２８に搬送し、識別部２８の識別結果に基づいて、表裏反転が必要でないものは搬送路４１Ａで入出金部２１に、表裏反転が必要なものは搬送路４１Ｓを介して表裏反転部４３で表裏反転させた後、搬送路４１Ａで入出金部２１に、それぞれ搬送する。これにより、出金操作に基づくバラ紙幣を、表裏取り揃えた状態で入出金部２１に繰り出し入出金部２１にて載置板２２上に下から上に順次集積させる。
【００４０】
このとき、図６に太実線で示すルートを構成する繰出部３５ａ〜３７ａおよび搬送路４１Ｄ〜４１Ｉ，４１Ｂ，４１Ａ，４１Ｓが、金種カセット３５〜３７に収納された紙幣を繰り出して入出金部２１に出金搬送する出金搬送手段５３となっており、入出金部２１は、この出金搬送手段５３によって出金搬送される紙幣を機外へ出金可能に集積させる。この出金搬送手段５３は、整列部３０への搬送路４１Ｔの分岐点よりも上流側、且つ識別部２８よりも下流側に、紙幣の向きを反転可能な表裏反転部４３を有している。そして、金種カセット３５、金種カセット３６および金種カセット３７から出金搬送される紙幣は、識別部２８によって識別され紙幣の表裏の向きを反転させる必要があるときに表裏反転部４３を経由する。図３に示す入金搬送手段５０は、識別部２８を通る一部の搬送路４１Ａが、紙幣を入金搬送方向に対して逆方向へ搬送することで、図６に示す出金搬送手段５３の一部を構成する。
【００４１】
一方、バラ出金処理にて出金搬送手段５３で搬送中、識別部２８で重送等と識別した紙幣については、図６に太破線で示すように、出金搬送手段５３を構成する搬送路４１Ａから分岐する搬送路４１Ｑ，４１Ｐ，４１Ｒによって出金リジェクト部２７に搬送し、出金リジェクト部２７にて下から上に順次集積させて収納する。
【００４２】
よって、バラ出金処理では、識別部２８で識別した結果、出金可能な出金紙幣を、出金搬送手段５３で入出金部２１に集積させ、識別部２８で識別した結果、出金不可な出金紙幣を、出金搬送手段５３の識別部２８より下流側から分岐した位置にある出金リジェクト部２７に集積させることになる。
【００４３】
「束出金処理」
図７の太線は、操作部１４へ入力された束出金操作に基づいて、金種カセット３５、金種カセット３６および金種カセット３７の指定された金種のものからの紙幣を結束して出金する束出金処理のルートを示している。つまり、束出金処理では、図７に太実線で示すように、金種カセット３５〜３７のうち指定された金種のものに収納されている紙幣を上端のものから繰出部３５ａ〜３７ａの対応するものが繰り出すことになり、繰り出した紙幣を、搬送路４１Ｄ〜４１Ｉの対応するものと、搬送路４１Ｂ，４１Ａとで識別部２８に搬送し、識別部２８の識別結果に基づいて、表裏反転が必要でないものは搬送路４１Ａ，４１Ｔで整列部３０に、表裏反転が必要なものは搬送路４１Ｓを介して表裏反転部４３で表裏反転させた後、搬送路４１Ａ，４１Ｔで整列部３０に、それぞれ搬送する。これにより、指定された単一金種の紙幣を結束単位枚数だけ表裏を取り揃えた状態で整列部３０に繰り出す。そして、指定された単一金種の紙幣を整列部３０で所定の結束枚数下から上に順次集積させた後、結束部３１で結束させて小束紙幣とし、束出金部３２に繰り出す。このような処理を指定された金種毎に指定された束数分行うことになり、束出金部３２では作成された複数の小束紙幣を、機外に取り出し可能となるように機体前後方向に集積させる。
【００４４】
このとき、図７に太実線で示すルートでは、図６に示す出金搬送手段５３の搬送路４１Ａから整列部３０への搬送路４１Ｔが分岐しており、言い換えれば、整列部３０は、出金搬送手段５３から分岐した位置にある。出金搬送手段５３は、この整列部３０への搬送路４１Ｔの分岐点よりも上流側、且つ識別部２８よりも下流側に、紙幣の向きを反転可能な表裏反転部４３を有している。
【００４５】
一方、束出金処理にて出金搬送手段５３で搬送中、識別部２８で重送等と識別した紙幣については、図７に太破線で示すように、出金搬送手段５３を構成する搬送路４１Ａから分岐する搬送路４１Ｑ，４１Ｐ，４１Ｒによって出金リジェクト部２７に搬送し、出金リジェクト部２７にて下から上に順次集積させて収納する。
【００４６】
よって、束出金処理では、識別部２８で識別した結果、出金可能な出金紙幣を、出金搬送手段５３の識別部２８より下流から分岐した位置にある整列部３０に集積させ、識別部２８で識別した結果、出金不可な出金紙幣を、出金搬送手段５３の識別部２８より下流側から分岐した位置にある出金リジェクト部２７に集積させる。
【００４７】
「自己精査処理」
図８の太線は、操作部１４へ入力された自己精査処理操作に基づいて、金種カセット３５〜３７および混合カセット３８の対応するものの紙幣を自己精査する自己精査処理の往路ルートを示している。つまり、自己精査処理では、図８に太実線で示すように、金種カセット３５〜３７および混合カセット３８のうちの設定された一つに収納されている紙幣を上端のものから繰出部３５ａ〜３８ａの対応するものが繰り出すことになり、繰り出した紙幣を、搬送路４１Ｄ〜４１Ｋの対応するものと、搬送路４１Ｂ，４１Ａとで識別部２８に搬送し、識別部２８で識別計数しつつ、搬送路４１Ｍ，４１Ｌ，４１Ｂ，４１Ｃを介してプールカセット３９に搬送する。そして、金種カセット３５〜３７および混合カセット３８のうちの設定された一つに収納されていた紙幣をすべて繰り出す。なお、この搬送中、識別部２８で重送等と識別した紙幣については、図８に太破線で示すように、搬送路４１Ａ，４１Ｑ，４１Ｐ，４１Ｒによって出金リジェクト部２７に搬送し、出金リジェクト部２７に収納する。
【００４８】
図９の太線は、上記した自己精査処理の復路ルートを示している。上記したようにプールカセット３９に一旦移した紙幣を、図９に太実線で示すように、搬送路４１Ｃ，４１Ｂ，４１Ｌ，４１Ｍ，４１Ａによって、識別部２８に搬送し、識別部２８で識別計数するとともに、識別部２８の識別結果に基づいて、搬送路４１Ｂ，４１Ｄ〜４１Ｋの対応するものを介して、金種カセット３５〜３７および混合カセット３８の対応する金種のものに収納する。なお、この搬送中、識別部２８で重送等と識別した紙幣については、図９に太破線で示すように、搬送路４１Ｂ，４１Ｎ，４１Ｏ，４１Ｍ，４１Ｐ，４１Ｒによって出金リジェクト部２７に搬送し、出金リジェクト部２７に収納する。
【００４９】
以上により、識別部２８の計数結果と、金種カセット３５〜３７および混合カセット３８の自己精査処理を行ったものに収納された紙幣の枚数とが一致することになり、このような自己精査処理を、金種カセット３５〜３７および混合カセット３８のうちの設定されたものについて、それぞれ個別に行うことになる。なお、金種カセット３５〜３７および混合カセット３８にそれぞれ収納された紙幣の合計枚数がプールカセット３９の最大収納枚数以下であった場合には、上記の自己精査処理をそれぞれ個別に行う必要はなく、すべて一括して行うこともできる。
【００５０】
「ローカル整理処理」
図１０の太線は、機外から入出金部２１に投入されたバラ紙幣を搬送しつつ識別計数するローカル整理処理の往路ルートを示している。つまり、入出金部２１の載置板２２上にバラ紙幣が載置されて、操作部１４にローカル整理処理を行う旨の入力操作が金種指定とともになされると、繰出部２１ａが入出金部２１の載置板２２上の紙幣を上端のものから順に一枚ずつ分離して所定の間隔をあけて繰り出すことになり、繰り出した紙幣を、図１０に太実線で示すように、搬送路４１Ａで搬送することになる。搬送路４１Ａでの搬送中に識別部２８が紙幣を識別計数することになり、識別部２８で指定金種と識別した紙幣を、搬送路４１Ｂ，４１Ｃでプールカセット３９に搬送する一方、識別部２８で指定金種以外と識別した紙幣を、図１０に太破線で示すように、搬送路４１Ｂから搬送路４１Ｎ，４１Ｏ，４１Ｍ，４１Ｐで入金リジェクト部２６に搬送する。これにより、指定金種の紙幣をプールカセット３９に一時貯留し、指定金種以外の紙幣を入金リジェクト部２６に放出する。
【００５１】
図１１の太線は、ローカル整理処理の復路ルートを示している。上記したようにプールカセット３９に一旦収納した紙幣を、上端のものから繰出部３９ａが繰り出すことになり、繰り出した紙幣を、図１１の太線で示すように、搬送路４１Ｃ，４１Ｂ，４１Ａで識別部２８に搬送し、識別部２８の識別結果に基づいて、表裏反転が必要でないものは搬送路４１Ａ，４１Ｔで整列部３０に、表裏反転が必要なものは搬送路４１Ｓを介して表裏反転部４３で表裏反転させた後、搬送路４１Ａ，４１Ｔで整列部３０に、それぞれ搬送する。このようにして、指定された単一金種の紙幣を表裏取り揃えた状態で結束単位枚数だけ整列部３０に繰り出す。そして、指定された単一金種の紙幣を整列部３０で所定の結束枚数下から上に順次集積させた後、結束部３１で結束させて小束紙幣とし、束出金部３２に繰り出す。このような処理を結束単位枚数が整列部３０に集積される限り繰り返すことになり、束出金部３２では作成された複数の小束紙幣を機体前後方向に集積させる。なお、結束単位枚数に満たない、端数紙幣が整列部３０に集積された場合にも、これを結束し端数紙幣であることを示す識別をつけて束出金部３２に繰り出す。
【００５２】
一方、ローカル整理処理にて識別部２８で重送等と識別した紙幣については、図１１に太破線で示すように、搬送路４１Ａ，４１Ｑ，４１Ｐによって入金リジェクト部２６に搬送し、入金リジェクト部２６に放出し、入金リジェクト部２６にて下から上に順次集積させる。
【００５３】
以上により、整列部３０へは、ローカル整理処理が選択されるとプールカセット３９から、束出金処理が選択されると金種カセット３５〜３７から、紙幣が選択的に搬送されることになる。
【００５４】
以上に述べた本実施形態の紙幣処理機１１によれば、紙幣の向きを反転可能な表裏反転部４３を出金搬送手段５３が有しているため、入金処理において表裏反転部を通ることによる入金処理速度の低下がなくなり、出金処理に比べて待たされている感覚が強くなる入金処理の時間を短縮できて、入金処理の処理効率の低下を抑制することができる。また、出金搬送手段５３が、整列部３０への分岐点よりも上流側且つ識別部２８よりも下流側に表裏反転部４３を有しているため、上流端の金種カセット３５〜３７に表裏が適正でない紙幣があったとしても、これを識別部２８で識別し表裏反転部４３で表裏反転して、下流端の入出金部２１に搬送したり、分岐した位置にある整列部３０に搬送したりできる。よって、例えば、金種カセット３５〜３７に表裏が適正でない紙幣があったとしても、この紙幣を含んで、入出金部２１に集積された紙幣は表裏が取り揃えられた状態となり、整列部３０に集積された紙幣も表裏が取り揃えられた状態となる。したがって、表裏が適正でない紙幣を排除する必要がないため、出金処理の処理効率の低下を抑制することができる。加えて、簡易な構成で、入出金部２１への出金用および整列部３０への結束用のバラ紙幣の集積の表裏の向きを、各々選択設定することが可能となる。さらに、入金搬送手段５０は、識別部２８を通る一部の搬送路４１Ａが、紙幣を入金搬送方向に対して逆方向へ搬送することで出金搬送手段５３の一部を構成するため、入金搬送時の識別部２８をバラ出金搬送時および結束搬送時の識別部２８として使用できる。
【００５５】
また、入金搬送手段５０で搬送中、識別部２８で識別された結果、受け付け不可とされた投入紙幣を、入金搬送手段５０から分岐した位置にある入金リジェクト部２６に集積させることになり、出金搬送手段５３で搬送中、識別部２８で識別された結果、出金不可とされた出金紙幣を、出金搬送手段５３から分岐した位置にある出金リジェクト部２７に集積させることになるため、入金搬送手段５０と出金搬送手段５３とが共通の識別部２８を使用しても、処理を停止させることなく適正に、入金処理、出金処理および結束処理を行うことができる。
【００５６】
また、プールカセット３９、混合カセット３８および複数の金種カセット３５〜３７が並列状態に配置されるため、機体の大型化を抑制できる。
【００５７】
また、入金処理で紙幣を一時貯留するプールカセット３９から、入金確定後に、複数の金種カセット３５〜３７および混合カセット３８の少なくとも一つへ、紙幣を識別部２８で識別された結果に応じ振分搬送することになるが、その際に、識別部２８で異常紙幣とされた入金確定紙幣については、これを出金リジェクト部２７へ搬送することができる。よって、処理を停止させることなく適正に、収納処理を行うことができる。
【００５８】
また、整列部３０へは、プールカセット３９および複数の金種カセット３５〜３７から選択的に紙幣が搬送されるため、金種カセット３５〜３７に収納されている紙幣を結束することができることは勿論のこと、プールカセット３９に収納されている紙幣をも結束することができる。よって、予め準備された紙幣を結束するローカル整理処理を行う場合に、プールカセット３９から整列部３０に紙幣を直接搬送して結束部３１で結束させることができ、処理効率を向上できる。
【００５９】
また、結束部３１で結束した小束紙幣を束出金部３２で集積して機外へ出金することができるため、小束紙幣の効率的な取り出しが可能となる。
【符号の説明】
【００６０】
１１  紙幣処理機
２１  入出金部（入金部，出金部）２１
２６  入金リジェクト部
２７  出金リジェクト部
２８  識別部
３０  整列部
３１  結束部
３２  束出金部
３５〜３７  金種カセット（収納部，金種別収納部）
３８  混合カセット（収納部，金種混合収納部）
３９  プールカセット（一時貯留部，金種混合一時貯留部）
４３  表裏反転部
５０  入金搬送手段
５３  出金搬送手段
【図１】
2013250919.tif 000003
【図２】
2013250919.tif 000004
【図３】
2013250919.tif 000005
【図４】
2013250919.tif 000006
【図５】
2013250919.tif 000007
【図６】
2013250919.tif 000008
【図７】
2013250919.tif 000009
【図８】
2013250919.tif 000010
【図９】
2013250919.tif 000011
【図１０】
2013250919.tif 000012
【図１１】
2013250919.tif 000013